(57)【要約】【課題】通信機器が故障した場合でも、ソフトキーの適用が可能なソフトキー管理サーバ、方法及びプログラムを提供すること。【解決手段】本開示に係るソフトキー管理サーバ１１は、通信機器１２のソフトキー適用情報を通信機器１２から収集する取得部１１１と、通信機器１２のソフトキーを別の通信機器１２ｂのソフトキーとして適用する制御部１１２と、ソフトキー適用情報を保存するソフトキー管理テーブルＳｔｂと、を備え、取得部１１１は、ソフトキー適用情報を通信機器１２から収集できない場合、通信機器１２の監視対象リストを収集し、制御部１１２は、収集できない通信機器１２が監視対象リストに存在しない場合、収集できない通信機器１２を故障と判断し、ソフトキー管理テーブルＳｔｂにおいて故障と判断した通信機器１２のソフトキーの適用状況を未適用に変更する。【選択図】図１
2020071752.tif 000002
【特許請求の範囲】
【請求項１】
通信機器のソフトキー適用情報を前記通信機器から収集する取得部と、
前記通信機器のソフトキーを別の通信機器の前記ソフトキーとして適用する制御部と、
前記ソフトキー適用情報を保存するソフトキー管理テーブルと、
を備え、
前記取得部は、前記ソフトキー適用情報を前記通信機器から収集できない場合、前記通信機器の監視対象リストを収集し、
前記制御部は、前記収集できない通信機器が前記監視対象リストに存在しない場合、前記収集できない通信機器を故障と判断し、前記ソフトキー管理テーブルにおいて前記故障と判断した通信機器の前記ソフトキーの適用状況を未適用に変更する、
ソフトキー管理サーバ。
【請求項２】
前記制御部は、前記通信機器からソフトキー適用要求を取得した場合、前記ソフトキー管理テーブルにおいて未適用の前記ソフトキーが有れば前記適用状況を適用に変更し、前記未適用の前記ソフトキーが無ければ前記ソフトキー適用要求を保留とする、
請求項１に記載のソフトキー管理サーバ。
【請求項３】
前記制御部は、前記通信機器からソフトキー抜去要求を取得した場合、前記ソフトキー管理テーブルにおいて前記適用の前記ソフトキーが有れば前記適用状況を未適用に変更し、前記ソフトキー適用要求が前記保留となっているものが有れば前記ソフトキー適用要求を承認に変更する、
請求項２に記載のソフトキー管理サーバ。
【請求項４】
前記取得部は、前記通信機器を監視するネットワーク監視サーバから、監視対象となる前記通信機器が示された監視対象リストを取得する、
請求項１乃至３のいずれか１つに記載のソフトキー管理サーバ。
【請求項５】
前記取得部は、前記ソフトキー適用情報を定期的に収集する、
請求項１乃至４のいずれか１つに記載のソフトキー管理サーバ。
【請求項６】
前記通信機器の前記ソフトキー適用情報は、前記通信機器のソフトキー番号と、前記通信機器のＭＡＣアドレスと、に関連付けて前記ソフトキー管理テーブルに保存される、
請求項１乃至５のいずれか１つに記載のソフトキー管理サーバ。
【請求項７】
通信機器のソフトキー適用情報を前記通信機器から収集することと、
前記通信機器のソフトキーを別の通信機器の前記ソフトキーとして適用することと、
前記ソフトキー適用情報を保存することと、
前記ソフトキー適用情報を前記通信機器から収集できない場合、前記通信機器の監視対象リストを収集することと、
前記収集できない通信機器が前記監視対象リストに存在しない場合、前記収集できない通信機器を故障と判断し、ソフトキー管理テーブルにおいて前記故障と判断した通信機器の前記ソフトキーの適用状況を未適用に変更することと、
を備える方法。
【請求項８】
通信機器のソフトキー適用情報を前記通信機器から収集することと、
前記通信機器のソフトキーを別の通信機器の前記ソフトキーとして適用することと、
前記ソフトキー適用情報を保存することと、
前記ソフトキー適用情報を前記通信機器から収集できない場合、前記通信機器の監視対象リストを収集することと、
前記収集できない通信機器が前記監視対象リストに存在しない場合、前記収集できない通信機器を故障と判断し、ソフトキー管理テーブルにおいて前記故障と判断した通信機器の前記ソフトキーの適用状況を未適用に変更することと、
をコンピュータに実行させるプログラム。
【発明の詳細な説明】
【技術分野】
【０００１】
本開示は、ソフトキー管理サーバ、方法及びプログラムに関するものであり、特に、通信機器が故障した場合でも、ソフトキーの適用が可能なソフトキー管理サーバ、方法及びプログラムに関する。
【背景技術】
【０００２】
通信機器のソフトキーを管理サーバで管理することが知られている。ソフトキーを管理サーバで管理する場合、先ず、管理サーバが通信機器からソフトキーを抜去し、管理サーバ上にソフトキーをプールする。次に、管理サーバがプールしソフトキーを別の通信機器に適用する。しかしながら、管理サーバは、通信機器が故障した場合、故障した通信機器からソフトキーを抜去することができないので、該ソフトキーを別の通信機器に適用することが難しいという課題があった。
【０００３】
特許文献１には、ネットワークに接続されているネットワーク管理装置が、各通信機器の動作状態を表す指標値を予め定められた時間間隔で各通信機器から取得する指標値収集部と、取得された各々の指標値と予め与えられた基準値とを比較して、各指標値が悪化しているか否かを判断する通信状態判定部と、悪化していると判断された指標値に対応する機能をこれに該当する通信機器に実行させるためのソフトウェアキーを、当該通信機器に固有の機器情報を元に生成して出力するソフトウェアリスト作成部とを有する、ことが記載されている。特許文献１には、通信機器が故障した場合のソフトウェアキーの適用については記載されていない。
【先行技術文献】
【特許文献】
【０００４】
【特許文献１】特開２０１４−２２９２３２号公報
【発明の概要】
【発明が解決しようとする課題】
【０００５】
上記のように、通信機器が故障した場合、管理サーバが通信機器からソフトキーを抜去することができないので、該ソフトキーを別の通信機器に適用することが難しいという課題があった。
【０００６】
本開示の目的は、上述した課題を解決するソフトキー管理サーバ、方法及びプログラムを提供することにある。
【課題を解決するための手段】
【０００７】
本開示に係るソフトキー管理サーバは、
通信機器のソフトキー適用情報を前記通信機器から収集する取得部と、
前記通信機器のソフトキーを別の通信機器の前記ソフトキーとして適用する制御部と、
前記ソフトキー適用情報を保存するソフトキー管理テーブルと、
を備え、
前記取得部は、前記ソフトキー適用情報を前記通信機器から収集できない場合、前記通信機器の監視対象リストを収集し、
前記制御部は、前記収集できない通信機器が前記監視対象リストに存在しない場合、前記収集できない通信機器を故障と判断し、前記ソフトキー管理テーブルにおいて前記故障と判断した通信機器の前記ソフトキーの適用状況を未適用に変更する。
【０００８】
本開示に係る方法は、
通信機器のソフトキー適用情報を前記通信機器から収集することと、
前記通信機器のソフトキーを別の通信機器の前記ソフトキーとして適用することと、
前記ソフトキー適用情報を保存することと、
前記ソフトキー適用情報を前記通信機器から収集できない場合、前記通信機器の監視対象リストを収集することと、
前記収集できない通信機器が前記監視対象リストに存在しない場合、前記収集できない通信機器を故障と判断し、ソフトキー管理テーブルにおいて前記故障と判断した通信機器の前記ソフトキーの適用状況を未適用に変更することと、
を備える。
【０００９】
本開示に係るプログラムは、
通信機器のソフトキー適用情報を前記通信機器から収集することと、
前記通信機器のソフトキーを別の通信機器の前記ソフトキーとして適用することと、
前記ソフトキー適用情報を保存することと、
前記ソフトキー適用情報を前記通信機器から収集できない場合、前記通信機器の監視対象リストを収集することと、
前記収集できない通信機器が前記監視対象リストに存在しない場合、前記収集できない通信機器を故障と判断し、ソフトキー管理テーブルにおいて前記故障と判断した通信機器の前記ソフトキーの適用状況を未適用に変更することと、
をコンピュータに実行させる。
【発明の効果】
【００１０】
本開示によれば、通信機器が故障した場合でも、ソフトキーの適用が可能なソフトキー管理サーバ、方法及びプログラムを提供することができる。
【図面の簡単な説明】
【００１１】
【図１】実施の形態に係るソフトキー管理サーバを例示するブロック図である。
【図２】実施の形態に係るシステムの構成を例示するブロック図である。
【図３】実施の形態に係るシステムの機能を例示するブロック図である。
【図４】実施の形態に係るソフトキー管理テーブルを例示する図である。
【図５】実施の形態に係るシステムの動作を例示するシーケンス図である。
【図６Ａ】実施の形態に係るソフトキー管理テーブルを例示する図である。
【図６Ｂ】実施の形態に係るソフトキー管理テーブルを例示する図である。
【図７】実施の形態に係るシステムの動作を例示するシーケンス図である。
【図８】実施の形態に係るソフトキー管理テーブルを例示する図である。
【発明を実施するための形態】
【００１２】
以下、図面を参照して本発明の実施の形態について説明する。各図面において、同一又は対応する要素には同一の符号が付されており、説明の明確化のため、必要に応じて重複説明を省略する。
【００１３】
［実施の形態］
図１は、実施の形態に係るソフトキー管理サーバの構成を例示するブロック図である。
【００１４】
図１に示すように、実施の形態に係るソフトキー管理サーバ１１は、取得部１１１と制御部１１２と記憶部１１３とを備える。
【００１５】
取得部１１１は、通信機器１２のソフトキー適用情報を通信機器１２から収集する。取得部１１１は、ソフトキー適用情報を通信機器１２から収集できない場合、通信機器１２の監視対象リストを収集する。
【００１６】
制御部１１２は、通信機器１２ａのソフトキーを別の通信機器１２ｂのソフトキーとして適用（転用）する。
【００１７】
記憶部１１３は、ソフトキー管理テーブルＳｔｂを有し、ソフトキー管理テーブルＳｔｂは、ソフトキー適用情報を保存する。
【００１８】
制御部１１２は、収集できない通信機器が監視対象リストに存在しない場合、収集できない通信機器１２を故障と判断する。制御部１１２は、ソフトキー管理テーブルＳｔｂにおいて、故障と判断した通信機器１２のソフトキーの適用状況を未適用に変更する。
【００１９】
未適用に変更されたソフトキーは、別の通信機器１２ｂのソフトキーとして適用されない。
【００２０】
尚、ソフトキーをソフトウェアキーと称することもある。通信機器をネットワーク通信機器と称することもある。
【００２１】
図２は、実施の形態に係るシステムの構成を例示するブロック図である。
図２に示すネットワーク通信機器は、図１に示す通信機器に相当する。
【００２２】
図２に示すように、システム１０は、ネットワーク通信機器側ネットワーク１０ａとネットワーク監視サーバ側ネットワーク１０ｂとソフトキー管理サーバ側ネットワーク１０ｃとを有する。ネットワーク通信機器側ネットワーク１０ａは、ネットワーク通信機器１２から構成される。ネットワーク監視サーバ側ネットワーク１０ｂは、ネットワーク通信機器１２を監視するネットワーク監視サーバ１４と、ユーザ端末１３と、それらを接続するハブから構成される。ソフトキー管理サーバ側ネットワーク１０ｃは、ソフトキー管理サーバ１１から構成される。ネットワーク通信機器側ネットワーク１０ａとネットワーク監視サーバ側ネットワーク１０ｂとの間はルータで接続され、ネットワーク監視サーバ側ネットワーク１０ｂとソフトキー管理サーバ側ネットワーク１０ｃとの間は、プロキシサーバ等で接続される。
【００２３】
ソフトキー管理サーバ１１は、ソフトキー管理テーブルＳｔｂを有し、ソフトキーの一元管理を行う。ソフトキー管理サーバ１１は、定期的にネットワーク通信機器１２からソフトキー適用情報を収集し、ソフトキー管理テーブルＳｔｂを更新する。
【００２４】
運用中のネットワーク通信機器１２間のソフトキー適用方法と、故障時のソフトキー適用方法の具体的な方法を以下に示す。
【００２５】
（１）運用中のソフトキー適用方法
ソフトキー管理サーバ１１は、ネットワーク通信機器１２からソフトキー適用要求を取得した場合、ソフトキー管理テーブルＳｔｂにおいて未適用のソフトキーがあるかを検索する。
【００２６】
ソフトキー管理サーバ１１は、ソフトキー管理テーブルにおいて未適用のソフトキーが有れば適用状況を適用に変更する。また、ソフトキー管理サーバ１１は、未適用のソフトキーが無ければソフトキー適用要求を保留とする。
【００２７】
ソフトキー管理サーバ１１は、ネットワーク通信機器１２からソフトキー抜去要求を取得した場合、ソフトキー管理テーブルＳｔｂにおいて適用のソフトキーが有れば、対象となるネットワーク通信機器１２のソフトキーの適用状況を適用から未適用に変更する。ソフトキー管理サーバ１１は、さらに、適用承認の要求が保留になっていないかを確認する。ソフトキー管理サーバ１１は、ソフトキー適用要求が保留となっているものが有る場合、ソフトキー適用要求を保留から承認に変更する。
【００２８】
このように、ソフトキー管理サーバ１１は、ソフトキー適用情報を管理し、未適用のソフトキーが有れば、適用承認の処理を行う。このため、ソフトキー管理サーバ１１は、未適用のソフトキーを事前にプールする必要がなく、一括の処理でソフトキー抜去処理と適用処理を行うことができる。
【００２９】
（２）故障時のソフトキー適用方法
ネットワーク通信機器１２の１つが故障した場合、故障したネットワーク通信機器１２は、ソフトキー管理サーバ１１と通信できないため、ソフトキーの抜去要求を出せない。これにより、ソフトキー管理サーバ１１は、上記（１）の適用方法を使用することができない。
【００３０】
そこで、ソフトキー管理サーバ１１は、ネットワーク通信機器１２から、ネットワーク通信機器１２のソフトキー適用情報を定期的に収集ができない場合、ネットワーク通信機器１２を監視するネットワーク監視サーバ１４から、監視対象となるネットワーク通信機器１２が示された監視対象リストを取得する。ソフトキー管理サーバ１１は、ソフトキー適用情報を定期的に収集ができないネットワーク通信機器１２であって対象となるネットワーク通信機器１２が監視対象リストに存在するかを確認する。
【００３１】
ソフトキー管理サーバ１１は、対象となるネットワーク通信機器１２が存在しない場合、該ネットワーク通信機器１２を故障と判断する。ソフトキー管理サーバ１１は、ソフトキー管理テーブルＳｔｂにおいて故障と判断したネットワーク通信機器１２のソフトキーの適用状況を未適用に変更する。
【００３２】
ソフトキー管理サーバ１１は、対象となるネットワーク通信機器１２が存在する場合、該ネットワーク通信機器１２が故障していないと判断する。
【００３３】
尚、ネットワーク監視サーバをＮＭＳ（Network Monitoring Server）と称することもある。ユーザ端末をクライアントＰＣ（Personal Computer）と称することもある。ネットワーク通信機器を通信機器又はＮＥ（Network communication Equipment）と称することもある。ソフトキー管理サーバをＳＫＳ（Soft Key management Server）と称することもある。
【００３４】
実施の形態に係るシステムの機能を説明する。
図３は、実施の形態に係るシステムの機能を例示するブロック図である。
図４は、実施の形態に係るソフトキー管理テーブルを例示する図である。
【００３５】
図３に示すように、ユーザがユーザ端末１３を操作して、ソフトキー適用要求とソフトキー抜去要求を行う。
【００３６】
図４に示すように、ソフトキー管理テーブルＳｔｂは、ソフトキー適用情報と、ネットワーク通信機器１２のソフトキー番号と、ネットワーク通信機器１２のＭＡＣアドレスと、を有する。ネットワーク通信機器１２のソフトキー適用情報は、ネットワーク通信機器１２のソフトキー番号と、ネットワーク通信機器１２のＭＡＣアドレスと、に関連付けて保存される。
【００３７】
ネットワーク通信機器１２は、ユーザ端末１３からの要求を受け、ソフトキー情報を更新する。ネットワーク通信機器１２は、ソフトキーをソフトキー管理サーバ１１に送信する。ネットワーク通信機器１２は、ソフトキー適用情報をソフトキー管理サーバ１１との間で送受信する。
【００３８】
ネットワーク監視サーバ１４は、故障したネットワーク通信機器１２が有る場合、監視対象リストから対象となるネットワーク通信機器１２の情報を削除する。監視対象リストを監視対象機器リストと称することもある。ネットワーク監視サーバ１４は、ソフトキー管理サーバ１１から要求が有った場合、監視対象リストをソフトキー管理サーバ１１に送信する。
【００３９】
ソフトキー管理サーバ１１は、ネットワーク通信機器１２から、ソフトキー情報（ソフトキー適用情報を含む）を定期的に収集する。ソフトキー管理サーバ１１は、ネットワーク監視サーバ１４から、監視対象リストを取得する。
【００４０】
ソフトキー管理サーバ１１は、監視対象リストに収集できないネットワーク通信機器１２が存在するかを確認するため、収集したソフトキー情報と図４に示すソフトキー管理テーブルＳｔｂの内容とを比較する。ソフトキー管理サーバ１１は、ネットワーク通信機器１２からソフトキー適用要求を受け、ソフトキー管理テーブルＳｔｂに未適用のものが有る場合、ソフトキー適用承認を行う。
【００４１】
実施の形態に係るシステムの動作を説明する。
【００４２】
図５は、実施の形態に係るシステムの動作を例示するシーケンス図である。
図５は、運用中のネットワーク通信機器間におけるソフトキーの適用方法を示す。
図６Ａは、実施の形態に係るソフトキー管理テーブルを例示する図である。
図６Ｂは、実施の形態に係るソフトキー管理テーブルを例示する図である。
【００４３】
動作の説明では、ネットワーク通信機器１２ａのソフトキーを無効化し、ネットワーク通信機器１２ｂのソフトキーを適用（使用）する例を挙げて説明する。
【００４４】
図５に示すように、ユーザは、ＬＣＴ（Local Craft Terminal）より、ネットワーク通信機器１２ａのソフトキーを無効化し、ソフトキー情報を更新する（ステップＳ１０１）。
【００４５】
ユーザは、ＬＣＴより、ネットワーク通信機器１２ｂのソフトキーを適用する旨の要求を受け、ソフトキー情報を更新する（ステップＳ１０２）。
【００４６】
ソフトキー管理サーバ１１は、対象機器（ネットワーク通信機器１２ａ、ネットワーク通信機器１２ｂ及びネットワーク通信機器１２ｃ）から、定期的に、例えば１回／日、ソフトキーの情報を収集する（ステップＳ１０３）。
【００４７】
ソフトキー管理サーバ１１は、定期的に収集したソフトキー情報とソフトキー管理テーブルＳｔｂで管理している内容とを比較し、定期的に収集したソフトキー情報から無効化した内容を確認する（ステップＳ１０４）。
【００４８】
ソフトキー管理サーバ１１は、図６Ａに示すようにソフトキー管理テーブルＳｔｂの該当するソフトキー適用状況を適用から未適用に変更する（ステップＳ１０５）。すなわち、ソフトキー番号がＮｏ．１のソフトキー適用状況を適用から未適用に変更する。また、ソフトキー管理サーバ１１は、適用通信機器のＭＡＣアドレスを空欄に変更する。
【００４９】
次に、ソフトキー管理サーバ１１は、定期的に収集したソフトキー情報からソフトキー適用要求があるかを確認する（ステップＳ１０６）。
【００５０】
ソフトキー管理サーバ１１は、ネットワーク通信機器１２ｂのソフトキー適用要求があることを確認し、ソフトキー適用要求をソフトキー管理テーブルＳｔｂに通知する（ステップＳ１０７）。
【００５１】
ソフトキー管理サーバ１１は、ソフトキー管理テーブルＳｔｂ上のソフトキー情報を検索し、ソフトキー情報から未適用のソフトキーがあるかを確認する（ステップＳ１０８）。
【００５２】
ソフトキー管理サーバ１１は、未適用のソフトキーが有る場合、図６Ｂに示すようにソフトキー管理テーブルＳｔｂの該当するソフトキーの適用状況を未適用から適用に変更する（ステップＳ１０９）。また、ソフトキー管理サーバ１１は、適用通信機器のＭＡＣアドレスを、空欄からネットワーク通信機器１２ｂのＭＡＣアドレスに変更して登録する（ステップＳ１０９）。
【００５３】
次に、ソフトキー管理サーバ１１は、ネットワーク通信機器１２ｂのソフトキー適用要求を承認する（ステップＳ１１０）。
【００５４】
ソフトキー管理サーバ１１は、ソフトキー番号がＮｏ．２のソフトキーを適用するように、ネットワーク通信機器１２に通知する（ステップＳ１１１）。ソフトキー管理サーバ１１は、適用するソフトキー番号が無い場合、ソフトキー適用承認の要求を保留とする。
【００５５】
ネットワーク通信機器１２は、受信したソフトキー番号を保存する（ステップＳ１１２）。
【００５６】
ネットワーク通信機器１２ｂは、適用要求を完了する（ステップＳ１１３）。
【００５７】
図７は、実施の形態に係るシステムの動作を例示するシーケンス図である。
図７は、故障時のネットワーク通信機器間におけるソフトキーの適用方法を示す。
図８は、実施の形態に係るソフトキー管理テーブルを例示する図である。
【００５８】
図７に示すように、ソフトキー管理サーバ１１は、対象機器（ネットワーク通信機器１２ａ、ネットワーク通信機器１２ｂ及びネットワーク通信機器１２ｃ）から、定期的に、例えば１回／日、ソフトキー情報を収集する（ステップＳ２０１）。
【００５９】
ソフトキー管理サーバ１１は、定期的に収集したソフトキー情報とソフトキー管理テーブルＳｔｂに保存したソフトキー情報とを比較する（ステップＳ２０２）。ソフトキー管理サーバ１１は、比較することにより、ネットワーク通信機器１２ｃのソフトキー情報が収集できないことを確認する。
【００６０】
一方、ネットワーク監視サーバ１４は、ネットワーク通信機器１２ｃが故障した場合、監視対象リスト上からネットワーク通信機器１２ｃを削除する（ステップＳ２０３）。すなわち、ネットワーク監視サーバ１４は、監視対象リストからネットワーク通信機器１２ｃの情報を削除する。
【００６１】
ソフトキー管理サーバ１１は、対象機器からソフトキー情報が収集できなかった場合、ネットワーク監視サーバ１４から監視対象リストを受け取り、対象機器が存在するかを確認する（ステップＳ２０４）。
【００６２】
ソフトキー管理サーバ１１は、監視対象リスト上で、ネットワーク通信機器１２ｃが削除されているかを確認する（ステップＳ２０５）。
【００６３】
ソフトキー管理サーバ１１は、監視対象リストにネットワーク通信機器１２ｃが存在しないので、ネットワーク通信機器１２ｃが故障したと判断し、適用されたソフトキーの抜去を行う。すなわち、ソフトキー管理サーバ１１は、図８に示すように、ソフトキー管理テーブルＳｔｂのソフトキー番号がＮｏ．３のソフトキーの適用状況を適用から未適用に変更し（ステップＳ２０６）、適用通信機器のＭＡＣアドレスを空欄に変更する。
【００６４】
ソフトキー管理サーバ１１は、対象機器が存在する場合、ソフトキー管理テーブルＳｔｂを変更しない。
【００６５】
実施の形態に係るソフトキー管理サーバ１１は、ソフトキー適用情報を収集できない場合、収集できない通信機器が監視対象リストに存在しない場合、収集できない通信機器を故障と判断し、ソフトキー管理テーブルの適用状況を未適用に変更する。これにより、ソフトキー管理サーバ１１は、故障した通信機器からソフトキーを抜去する必要が無くなる。未適用に変更されたソフトキーは、別の通信機器のソフトキーとして適用されず、適用とされたソフトキーが別の通信機器のソフトキーとして適用される。
【００６６】
その結果、通信機器が故障した場合でも、ソフトキーの適用が可能なソフトキー管理サーバ、方法を提供することができる
【００６７】
また、ソフトキー管理サーバ１１は、ソフトキー管理テーブルＳｔｂの内容を変更することで、抜去処理と適用処理を一括で実行することができる。
【００６８】
また、ソフトキー管理サーバ１１がソフトキーの適用情報を管理し、未適用のものがあれば、適用承認を行うので、未適用のソフトキーをサーバに事前にプールする必要がない。
【００６９】
また、実施の形態では、ソフトキー管理サーバ１１上でソフトキーを一元管理し、通信機器１２からソフトキーの適用情報を定期的に収集するので、ソフトキーの適用手順を簡単化することができる。
【００７０】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００７１】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(tangible storage medium)を含む。非一時的なコンピュータ可読媒体の例は、磁気記録媒体（具体的にはフレキシブルディスク、磁気テープ、ハードディスクドライブ）、光磁気記録媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７２】
なお、本発明は上記実施の形態に限られたものではなく、趣旨を逸脱しない範囲で適宜変更することが可能である。
【符号の説明】
【００７３】
１０…システム
１０ａ…ネットワーク通信機器側ネットワーク
１０ｂ…ネットワーク監視サーバ側ネットワーク
１０ｃ…ソフトキー管理サーバ側ネットワーク
１１…ソフトキー管理サーバ
１１１…取得部
１１２…制御部
１１３…記憶部
１２、１２ａ、１２ｃ…通信機器、ネットワーク通信機器
１２ｂ…別の通信機器、別のネットワーク通信機器
１３…ユーザ端末
１４…ネットワーク監視サーバ
Ｓｔｂ…ソフトキー管理テーブル
【図１】
2020071752.tif 000003
【図２】
2020071752.tif 000004
【図３】
2020071752.tif 000005
【図４】
2020071752.tif 000006
【図５】
2020071752.tif 000007
【図６Ａ】
2020071752.tif 000008
【図６Ｂ】
2020071752.tif 000009
【図７】
2020071752.tif 000010
【図８】
2020071752.tif 000011